(57)【特許請求の範囲】
【請求項１】
第１の印刷設定および第２の印刷設定による印刷データの出力結果をそれぞれ示す第１のプレビュー画像および第２のプレビュー画像を表示する表示部と、
前記表示部により表示された前記第１のプレビュー画像に対する操作指示を受け付ける操作部と、
前記操作部により受け付けられた操作指示に従って前記表示部により表示された前記第１のプレビュー画像を変更するとともに、変更後の前記第１のプレビュー画像に含まれる前記印刷データの論理ページが前記第２のプレビュー画像にも含まれるように、前記表示部により表示された前記第２のプレビュー画像を変更し、前記変更後の第１のプレビュー画像に前記印刷データの複数の論理ページが含まれる場合に、少なくとも前記複数の論理ページのうちページ番号が最も小さい論理ページが前記第２のプレビュー画像にも含まれるように、前記表示部により表示された前記第２のプレビュー画像を変更するプレビュー変更部と、を有する印刷設定装置。
【請求項２】
第１の印刷設定および第２の印刷設定による印刷データの出力結果をそれぞれ示す第１のプレビュー画像および第２のプレビュー画像を表示する表示部と、
前記表示部により表示された前記第１のプレビュー画像に対する操作指示を受け付ける操作部と、
前記操作部により受け付けられた操作指示に従って前記表示部により表示された前記第１のプレビュー画像を変更するとともに、変更後の前記第１のプレビュー画像に含まれる前記印刷データの論理ページが前記第２のプレビュー画像にも含まれるように、前記表示部により表示された前記第２のプレビュー画像を変更し、変更後の前記第１のプレビュー画像および前記第２のプレビュー画像の双方に含まれる前記印刷データの論理ページを、他の論理ページと区別して前記表示部に表示するプレビュー変更部と、を有する印刷設定装置。
【請求項３】
前記プレビュー変更部による変更後の前記第１のプレビュー画像および前記第２のプレビュー画像の双方に含まれる前記印刷データの論理ページは、他の論理ページと区別して表示されることを特徴とする請求項１に記載の印刷設定装置。
【請求項４】
前記操作部により受け付けられた前記第１のプレビュー画像に対する操作指示を、予め定められた規則に従って変換することにより、前記第２のプレビュー画像に対する操作指示を生成する変換部をさらに有し、
前記プレビュー変更部は、前記変換部により生成された前記第２のプレビュー画像に対する操作指示に従って前記第２のプレビュー画像を変更することを特徴とする請求項１〜３のいずれか１つに記載の印刷設定装置。
【請求項５】
前記プレビュー変更部は、前記操作部により受け付けられた操作指示に従って前記第１のプレビュー画像および前記第２のプレビュー画像を動的に変更することを特徴とする請求項１〜４のいずれか１つに記載の印刷設定装置。
【請求項６】
前記操作部により受け付けられる操作指示は、前記第１のプレビュー画像のページ送りの指示、拡大または縮小の指示、または回転の指示であることを特徴とする請求項１〜５のいずれか１つに記載の印刷設定装置。
【請求項７】
前記第１の印刷設定および前記第２の印刷設定の少なくとも一方には、Ｎ−Ｕｐ印刷、両面印刷、製本、ステープル、パンチ、および章分けの少なくとも１つが含まれることを特徴とする請求項１〜６のいずれか１つに記載の印刷設定装置。
【請求項８】
印刷設定装置において実行される制御方法であって、
第１の印刷設定および第２の印刷設定による印刷データの出力結果をそれぞれ示す第１のプレビュー画像および第２のプレビュー画像を表示するステップ（Ａ）と、
前記ステップ（Ａ）で表示された前記第１のプレビュー画像に対する操作指示を受け付けるステップ（Ｂ）と、
前記ステップ（Ｂ）で受け付けられた操作指示に従って前記ステップ（Ａ）で表示された前記第１のプレビュー画像を変更するとともに、変更後の前記第１のプレビュー画像に含まれる前記印刷データの論理ページが前記第２のプレビュー画像にも含まれるように、前記ステップ（Ａ）で表示された前記第２のプレビュー画像を変更し、前記変更後の前記第１のプレビュー画像に前記印刷データの複数の論理ページが含まれる場合に、少なくとも前記複数の論理ページのうちページ番号が最も小さい論理ページが前記第２のプレビュー画像にも含まれるように、前記ステップ（Ａ）で表示された前記第２のプレビュー画像を変更するステップ（Ｃ）と、を有する制御方法。
【請求項９】
印刷設定装置において実行される制御方法であって、
第１の印刷設定および第２の印刷設定による印刷データの出力結果をそれぞれ示す第１のプレビュー画像および第２のプレビュー画像を表示するステップ（Ａ）と、
前記ステップ（Ａ）で表示された前記第１のプレビュー画像に対する操作指示を受け付けるステップ（Ｂ）と、
前記ステップ（Ｂ）で受け付けられた操作指示に従って前記ステップ（Ａ）で表示された前記第１のプレビュー画像を変更するとともに、変更後の前記第１のプレビュー画像に含まれる前記印刷データの論理ページが前記第２のプレビュー画像にも含まれるように、前記ステップ（Ａ）で表示された前記第２のプレビュー画像を変更し、変更後の前記第１のプレビュー画像および前記第２のプレビュー画像の双方に含まれる前記印刷データの論理ページを、他の論理ページと区別して前記ステップ（Ａ）で表示するステップ（Ｃ）と、を有する制御方法。
【請求項１０】
前記ステップ（Ｃ）で変更後の前記第１のプレビュー画像および前記第２のプレビュー画像の双方に含まれる前記印刷データの論理ページは、他の論理ページと区別して表示されることを特徴とする請求項８に記載の印刷設定装置の制御方法。
【請求項１１】
前記ステップ（Ｂ）で受け付けられた前記第１のプレビュー画像に対する操作指示を、予め定められた規則に従って変換することにより、前記第２のプレビュー画像に対する操作指示を生成するステップ（Ｄ）をさらに有し、
前記ステップ（Ｃ）は、前記ステップ（Ｄ）で生成された前記第２のプレビュー画像に対する操作指示に従って前記第２のプレビュー画像を変更することを特徴とする請求項８〜１０のいずれか１つに記載の印刷設定装置の制御方法。
【請求項１２】
印刷設定装置の制御プログラムであって、
第１の印刷設定および第２の印刷設定による印刷データの出力結果をそれぞれ示す第１のプレビュー画像および第２のプレビュー画像を表示する手順（Ａ）と、
前記手順（Ａ）で表示された前記第１のプレビュー画像に対する操作指示を受け付ける手順（Ｂ）と、
前記手順（Ｂ）で受け付けられた操作指示に従って前記手順（Ａ）で表示された前記第１のプレビュー画像を変更するとともに、変更後の前記第１のプレビュー画像に含まれる前記印刷データの論理ページが前記第２のプレビュー画像にも含まれるように、前記手順（Ａ）で表示された前記第２のプレビュー画像を変更し、前記変更後の前記第１のプレビュー画像に前記印刷データの複数の論理ページが含まれる場合に、少なくとも前記複数の論理ページのうちページ番号が最も小さい論理ページが前記第２のプレビュー画像にも含まれるように、前記手順（Ａ）で表示された前記第２のプレビュー画像を変更する手順（Ｃ）と、を印刷設定装置に実行させる制御プログラム。
【請求項１３】
印刷設定装置の制御プログラムであって、
第１の印刷設定および第２の印刷設定による印刷データの出力結果をそれぞれ示す第１のプレビュー画像および第２のプレビュー画像を表示する手順（Ａ）と、
前記手順（Ａ）で表示された前記第１のプレビュー画像に対する操作指示を受け付ける手順（Ｂ）と、
前記手順（Ｂ）で受け付けられた操作指示に従って前記手順（Ａ）で表示された前記第１のプレビュー画像を変更するとともに、変更後の前記第１のプレビュー画像に含まれる前記印刷データの論理ページが前記第２のプレビュー画像にも含まれるように、前記手順（Ａ）で表示された前記第２のプレビュー画像を変更し、変更後の前記第１のプレビュー画像および前記第２のプレビュー画像の双方に含まれる前記印刷データの論理ページを、他の論理ページと区別して前記手順（Ａ）で表示する手順（Ｃ）と、を印刷設定装置に実行させる制御プログラム。
【請求項１４】
前記手順（Ｃ）で変更後の前記第１のプレビュー画像および前記第２のプレビュー画像の双方に含まれる前記印刷データの論理ページは、他の論理ページと区別して表示されることを特徴とする請求項１２に記載の印刷設定装置の制御プログラム。
【請求項１５】
前記手順（Ｂ）で受け付けられた前記第１のプレビュー画像に対する操作指示を、予め定められた規則に従って変換することにより、前記第２のプレビュー画像に対する操作指示を生成する手順（Ｄ）をさらに有し、
前記手順（Ｃ）は、前記手順（Ｄ）で生成された前記第２のプレビュー画像に対する操作指示に従って前記第２のプレビュー画像を変更することを特徴とする請求項１２〜１４のいずれか１つに記載の印刷設定装置の制御プログラム。
【請求項１６】
請求項１２〜１５のいずれか１つに記載の制御プログラムを記録したコンピューター読み取り可能な記録媒体。
【請求項１７】
第１の印刷設定および第２の印刷設定による印刷データの出力結果をそれぞれ示す第１のプレビュー画像および第２のプレビュー画像を表示する表示部と、
前記表示部により表示された前記第１のプレビュー画像に対する操作指示を受け付ける操作部と、
前記操作部により受け付けられた操作指示に従って前記表示部により表示された前記第１のプレビュー画像を変更するとともに、変更後の前記第１のプレビュー画像に前記印刷データの複数の論理ページが含まれる場合に、少なくとも前記複数の論理ページのうちページ番号が最も小さい論理ページが前記第２のプレビュー画像にも含まれるように、前記表示部により表示された前記第２のプレビュー画像を変更する表示制御部と、
前記第１の印刷設定または前記第２の印刷設定により前記印刷データに基づく画像を印刷する印刷部と、を有する印刷装置。
【請求項１８】
第１の印刷設定および第２の印刷設定による印刷データの出力結果をそれぞれ示す第１のプレビュー画像および第２のプレビュー画像を表示する表示部と、
前記表示部により表示された前記第１のプレビュー画像に対する操作指示を受け付ける操作部と、
前記操作部により受け付けられた操作指示に従って前記表示部により表示された前記第１のプレビュー画像を変更するとともに、変更後の前記第１のプレビュー画像に含まれる前記印刷データの論理ページが前記第２のプレビュー画像にも含まれるように、前記表示部により表示された前記第２のプレビュー画像を変更し、変更後の前記第１のプレビュー画像および前記第２のプレビュー画像の双方に含まれる前記印刷データの論理ページを、他の論理ページと区別して表示させる表示制御部と、
前記第１の印刷設定または前記第２の印刷設定により前記印刷データに基づく画像を印刷する印刷部と、を有する印刷装置。
【発明の詳細な説明】
【技術分野】
【０００１】
本発明は、印刷データの出力結果を示すプレビュー画像を表示する印刷設定装置、印刷設定装置の制御方法、印刷設定装置の制御プログラム、および印刷装置に関する。
【背景技術】
【０００２】
印刷装置を用いて文書データ等に基づく画像を印刷する場合、ユーザーは、プリンタードライバーにより提供されるユーザーインターフェース（ＵＩ）上で様々な印刷設定を任意に選択することができる。このような印刷設定には、文書データに基づく画像を用紙の両面に印刷するための両面印刷や、Ｎページ分の画像を縮小して１枚の用紙に印刷するためのＮ−Ｕｐ印刷等が含まれる。一方、ＵＩ上で様々な印刷設定の組み合わせが選択された場合、その出力結果（印刷物）の仕上がりを正確に予想することが困難になってしまう場合がある。
【０００３】
そこで、ユーザーが印刷物の仕上がりを事前に確認できるように、ユーザーにより選択された印刷設定に基づくプレビュー画像を表示する印刷装置が普及している。さらに、ユーザーが印刷設定を容易に選択できるように、互いに異なる印刷設定に基づく複数のプレビュー画像を並べて表示する情報処理装置が提案されている（以下の特許文献１参照）。
【先行技術文献】
【特許文献】
【０００４】
【特許文献１】特開２００６―２７７６０５号公報
【発明の概要】
【発明が解決しようとする課題】
【０００５】
しかしながら、上記特許文献１の技術によると、互いに異なる印刷設定に基づく第１のプレビュー画像および第２のプレビュー画像を並べて表示することはできるが、次のような不都合が生じる虞がある。すなわち、上記特許文献１の技術によると、それぞれの印刷設定の内容が大きく異なる場合に、文書データを構成する個々のページが第１のプレビュー画像および第２のプレビュー画像のどの部分に対応するのかを直感的に理解することが困難になってしまう。なお、文書データを構成する個々のページのことを以下では「論理ページ」と称する。
【０００６】
より具体的に、上記特許文献１の技術によると、第１のプレビュー画像に対応する印刷設定が両面印刷であり、第２のプレビュー画像に対応する印刷設定がＮ−Ｕｐ印刷であるような場合に、第１のプレビュー画像に含まれている論理ページが第２のプレビュー画像のどの部分に含まれているのかを直感的に理解することができず、印刷物の仕上がりを正確に予想することができない。このような問題はＵＩ上で複雑な印刷設定の組み合わせが選択される場合やアニメーション技術によりプレビュー画像が動的に変更された場合等に、特に顕著になると考えられる。
【０００７】
本発明は、上記従来技術の有する問題点に鑑みてなされたものであり、本発明の目的は、互いに異なる印刷設定が施された複数のプレビュー画像を表示する際に、それぞれのプレビュー画像に含まれる論理ページの対応関係をユーザーが直感的に理解することができる印刷設定装置、印刷設定装置の制御方法、印刷装置の制御プログラム、および印刷装置を提供することである。
【課題を解決するための手段】
【０００８】
本発明の上記目的は、下記の手段によって達成される。
【０００９】
（１）第１の印刷設定および第２の印刷設定による印刷データの出力結果をそれぞれ示す第１のプレビュー画像および第２のプレビュー画像を表示する表示部と、前記表示部により表示された前記第１のプレビュー画像に対する操作指示を受け付ける操作部と、前記操作部により受け付けられた操作指示に従って前記表示部により表示された前記第１のプレビュー画像を変更するとともに、変更後の前記第１のプレビュー画像に含まれる前記印刷データの論理ページが前記第２のプレビュー画像にも含まれるように、前記表示部により表示された前記第２のプレビュー画像を変更し、前記変更後の第１のプレビュー画像に前記印刷データの複数の論理ページが含まれる場合に、少なくとも前記複数の論理ページのうちページ番号が最も小さい論理ページが前記第２のプレビュー画像にも含まれるように、前記表示部により表示された前記第２のプレビュー画像を変更するプレビュー変更部と、を有する印刷設定装置。
（２）第１の印刷設定および第２の印刷設定による印刷データの出力結果をそれぞれ示す第１のプレビュー画像および第２のプレビュー画像を表示する表示部と、前記表示部により表示された前記第１のプレビュー画像に対する操作指示を受け付ける操作部と、前記操作部により受け付けられた操作指示に従って前記表示部により表示された前記第１のプレビュー画像を変更するとともに、変更後の前記第１のプレビュー画像に含まれる前記印刷データの論理ページが前記第２のプレビュー画像にも含まれるように、前記表示部により表示された前記第２のプレビュー画像を変更し、変更後の前記第１のプレビュー画像および前記第２のプレビュー画像の双方に含まれる前記印刷データの論理ページを、他の論理ページと区別して前記表示部に表示するプレビュー変更部と、を有する印刷設定装置。
（３）前記プレビュー変更部による変更後の前記第１のプレビュー画像および前記第２のプレビュー画像の双方に含まれる前記印刷データの論理ページは、他の論理ページと区別して表示されることを特徴とする上記（１）に記載の印刷設定装置。
【００１０】
（４）前記操作部により受け付けられた前記第１のプレビュー画像に対する操作指示を、予め定められた規則に従って変換することにより、前記第２のプレビュー画像に対する操作指示を生成する変換部をさらに有し、前記プレビュー変更部は、前記変換部により生成された前記第２のプレビュー画像に対する操作指示に従って前記第２のプレビュー画像を変更することを特徴とする上記（１）〜（３）のいずれか１つに記載の印刷設定装置。
【００１４】
（５）前記プレビュー変更部は、前記操作部により受け付けられた操作指示に従って前記第１のプレビュー画像および前記第２のプレビュー画像を動的に変更することを特徴とする上記（１）〜（４）のいずれか１つに記載の印刷設定装置。
【００１５】
（６）前記操作部により受け付けられる操作指示は、前記第１のプレビュー画像のページ送りの指示、拡大または縮小の指示、または回転の指示であることを特徴とする上記（１）〜（５）のいずれか１つに記載の印刷設定装置。
【００１６】
（７）前記第１の印刷設定および前記第２の印刷設定の少なくとも一方には、Ｎ−Ｕｐ印刷、両面印刷、製本、ステープル、パンチ、および章分けの少なくとも１つが含まれることを特徴とする上記（１）〜（６）のいずれか１つに記載の印刷設定装置。
【００１７】
（８）印刷設定装置において実行される制御方法であって、第１の印刷設定および第２の印刷設定による印刷データの出力結果をそれぞれ示す第１のプレビュー画像および第２のプレビュー画像を表示するステップ（Ａ）と、前記ステップ（Ａ）で表示された前記第１のプレビュー画像に対する操作指示を受け付けるステップ（Ｂ）と、前記ステップ（Ｂ）で受け付けられた操作指示に従って前記ステップ（Ａ）で表示された前記第１のプレビュー画像を変更するとともに、変更後の前記第１のプレビュー画像に含まれる前記印刷データの論理ページが前記第２のプレビュー画像にも含まれるように、前記ステップ（Ａ）で表示された前記第２のプレビュー画像を変更し、前記変更後の前記第１のプレビュー画像に前記印刷データの複数の論理ページが含まれる場合に、少なくとも前記複数の論理ページのうちページ番号が最も小さい論理ページが前記第２のプレビュー画像にも含まれるように、前記ステップ（Ａ）で表示された前記第２のプレビュー画像を変更するステップ（Ｃ）と、を有する制御方法。
（９）印刷設定装置において実行される制御方法であって、第１の印刷設定および第２の印刷設定による印刷データの出力結果をそれぞれ示す第１のプレビュー画像および第２のプレビュー画像を表示するステップ（Ａ）と、前記ステップ（Ａ）で表示された前記第１のプレビュー画像に対する操作指示を受け付けるステップ（Ｂ）と、前記ステップ（Ｂ）で受け付けられた操作指示に従って前記ステップ（Ａ）で表示された前記第１のプレビュー画像を変更するとともに、変更後の前記第１のプレビュー画像に含まれる前記印刷データの論理ページが前記第２のプレビュー画像にも含まれるように、前記ステップ（Ａ）で表示された前記第２のプレビュー画像を変更し、変更後の前記第１のプレビュー画像および前記第２のプレビュー画像の双方に含まれる前記印刷データの論理ページを、他の論理ページと区別して前記ステップ（Ａ）で表示するステップ（Ｃ）と、を有する制御方法。
（１０）前記ステップ（Ｃ）で変更後の前記第１のプレビュー画像および前記第２のプレビュー画像の双方に含まれる前記印刷データの論理ページは、他の論理ページと区別して表示されることを特徴とする上記（８）に記載の印刷設定装置の制御方法。
（１１）前記ステップ（Ｂ）で受け付けられた前記第１のプレビュー画像に対する操作指示を、予め定められた規則に従って変換することにより、前記第２のプレビュー画像に対する操作指示を生成するステップ（Ｄ）をさらに有し、前記ステップ（Ｃ）は、前記ステップ（Ｄ）で生成された前記第２のプレビュー画像に対する操作指示に従って前記第２のプレビュー画像を変更することを特徴とする上記（８）〜（１０）のいずれか１つに記載の印刷設定装置の制御方法。
【００１８】
（１２）印刷設定装置の制御プログラムであって、第１の印刷設定および第２の印刷設定による印刷データの出力結果をそれぞれ示す第１のプレビュー画像および第２のプレビュー画像を表示する手順（Ａ）と、前記手順（Ａ）で表示された前記第１のプレビュー画像に対する操作指示を受け付ける手順（Ｂ）と、前記手順（Ｂ）で受け付けられた操作指示に従って前記手順（Ａ）で表示された前記第１のプレビュー画像を変更するとともに、変更後の前記第１のプレビュー画像に含まれる前記印刷データの論理ページが前記第２のプレビュー画像にも含まれるように、前記手順（Ａ）で表示された前記第２のプレビュー画像を変更し、前記変更後の前記第１のプレビュー画像に前記印刷データの複数の論理ページが含まれる場合に、少なくとも前記複数の論理ページのうちページ番号が最も小さい論理ページが前記第２のプレビュー画像にも含まれるように、前記手順（Ａ）で表示された前記第２のプレビュー画像を変更する手順（Ｃ）と、を印刷設定装置に実行させる制御プログラム。
（１３）印刷設定装置の制御プログラムであって、第１の印刷設定および第２の印刷設定による印刷データの出力結果をそれぞれ示す第１のプレビュー画像および第２のプレビュー画像を表示する手順（Ａ）と、前記手順（Ａ）で表示された前記第１のプレビュー画像に対する操作指示を受け付ける手順（Ｂ）と、前記手順（Ｂ）で受け付けられた操作指示に従って前記手順（Ａ）で表示された前記第１のプレビュー画像を変更するとともに、変更後の前記第１のプレビュー画像に含まれる前記印刷データの論理ページが前記第２のプレビュー画像にも含まれるように、前記手順（Ａ）で表示された前記第２のプレビュー画像を変更し、変更後の前記第１のプレビュー画像および前記第２のプレビュー画像の双方に含まれる前記印刷データの論理ページを、他の論理ページと区別して前記手順（Ａ）で表示する手順（Ｃ）と、を印刷設定装置に実行させる制御プログラム。
（１４）前記手順（Ｃ）で変更後の前記第１のプレビュー画像および前記第２のプレビュー画像の双方に含まれる前記印刷データの論理ページは、他の論理ページと区別して表示されることを特徴とする上記（１２）に記載の印刷設定装置の制御プログラム。
（１５）前記手順（Ｂ）で受け付けられた前記第１のプレビュー画像に対する操作指示を、予め定められた規則に従って変換することにより、前記第２のプレビュー画像に対する操作指示を生成する手順（Ｄ）をさらに有し、前記手順（Ｃ）は、前記手順（Ｄ）で生成された前記第２のプレビュー画像に対する操作指示に従って前記第２のプレビュー画像を変更することを特徴とする上記（１２）〜（１４）のいずれか１つに記載の印刷設定装置の制御プログラム。
【００１９】
（１６）上記（１２）〜（１５）のいずれか１つに記載の制御プログラムを記録したコンピューター読み取り可能な記録媒体。
【００２０】
（１７）第１の印刷設定および第２の印刷設定による印刷データの出力結果をそれぞれ示す第１のプレビュー画像および第２のプレビュー画像を表示する表示部と、前記表示部により表示された前記第１のプレビュー画像に対する操作指示を受け付ける操作部と、前記操作部により受け付けられた操作指示に従って前記表示部により表示された前記第１のプレビュー画像を変更するとともに、変更後の前記第１のプレビュー画像に前記印刷データの複数の論理ページが含まれる場合に、少なくとも前記複数の論理ページのうちページ番号が最も小さい論理ページが前記第２のプレビュー画像にも含まれるように、前記表示部により表示された前記第２のプレビュー画像を変更する表示制御部と、前記第１の印刷設定または前記第２の印刷設定により前記印刷データに基づく画像を印刷する印刷部と、を有する印刷装置。
（１８）第１の印刷設定および第２の印刷設定による印刷データの出力結果をそれぞれ示す第１のプレビュー画像および第２のプレビュー画像を表示する表示部と、前記表示部により表示された前記第１のプレビュー画像に対する操作指示を受け付ける操作部と、前記操作部により受け付けられた操作指示に従って前記表示部により表示された前記第１のプレビュー画像を変更するとともに、変更後の前記第１のプレビュー画像に含まれる前記印刷データの論理ページが前記第２のプレビュー画像にも含まれるように、前記表示部により表示された前記第２のプレビュー画像を変更し、変更後の前記第１のプレビュー画像および前記第２のプレビュー画像の双方に含まれる前記印刷データの論理ページを、他の論理ページと区別して表示させる表示制御部と、前記第１の印刷設定または前記第２の印刷設定により前記印刷データに基づく画像を印刷する印刷部と、を有する印刷装置。
【発明の効果】
【００２１】
本発明によると、第１の印刷設定が施された第１のプレビュー画像および第２の印刷設定が施された第２のプレビュー画像が表示される印刷設定装置において、第１のプレビュー画像に対する操作指示（ページ送り、拡大／縮小、回転等）が受け付けられたときに、その操作指示に従って第１のプレビュー画像が変更されるとともに、変更後の第１のプレビュー画像に応じて第２のプレビュー画像が変更される。よって、本発明によると、ユーザーはそれぞれのプレビュー画像に含まれる論理ページの対応関係を直感的に理解できるようになり、印刷物の仕上がりを正確に予想できるようになる。
【図面の簡単な説明】
【００２２】
【図１】本発明の一実施形態に係る印刷システムを示す構成図である。
【図２】本発明の一実施形態に係る印刷システムを示すブロック図である。
【図３】本発明の一実施形態に係る印刷設定装置によるプレビュー表示制御処理の手順を示すフローチャートである。
【図４】本発明の一実施形態に係る第１のプレビュー画像および第２のプレビュー画像の一例を示す概略図である。
【図５】本発明の一実施形態に係る第１のプレビュー画像および第２のプレビュー画像の他の例を示す概略図である。
【図６】本発明の一実施形態に係る第１のプレビュー画像および第２のプレビュー画像の他の例を示す概略図である。
【図７】本発明の一実施形態に係る第１のプレビュー画像および第２のプレビュー画像の他の例を示す概略図である。
【図８】本発明の一実施形態に係る第１のプレビュー画像および第２のプレビュー画像の他の例を示す概略図である。
【図９】本発明の一実施形態に係る第１のプレビュー画像および第２のプレビュー画像の他の例を示す概略図である。
【図１０】本発明の一実施形態に係る第１のプレビュー画像および第２のプレビュー画像の他の例を示す概略図である。
【図１１】本発明の一実施形態に係る第１のプレビュー画像および第２のプレビュー画像の他の例を示す概略図である。
【発明を実施するための形態】
【００２３】
以下、本発明の実施の形態を、図面を参照しながら詳細に説明する。
【００２４】
なお、図面の説明では、同一の構成要素には同一の符号を付し、重複する説明を省略する。また、図面に示された構成要素の大きさや比率は、説明の都合上誇張されており、実際の大きさや比率とは異なっている場合がある。また、前述の「論理ページ」との対比のために、実際に用紙の各面に印刷されるページのことを以下では「物理ページ」と称する。そして、図４〜図１１の概略図には、実際に印刷される物理ページのプレビュー画像の代わりに、その物理ページに配置されている論理ページのページ番号のみが示されている。
【００２５】
先ず、本発明の一実施形態に係る印刷設定装置を備えた印刷システムについて図１および図２を参照しながら説明する。次に、本実施形態に係る印刷設定装置において実行されるプレビュー画像の表示制御処理について図３を参照しながら説明する。さらに、本実施形態に係る印刷設定装置により表示されるプレビュー画像の具体例について図４〜図１１を参照しながら説明する。
【００２６】
先ず、本実施形態に係る印刷システムについて、図１および図２を参照しながら説明する。
【００２７】
図１のように、本実施形態に係る印刷システムは、Ｗｅｂサーバー１００、クライアント端末装置２００、および印刷装置３００を有する。Ｗｅｂサーバー１００は、例えば、一般的なパーソナルコンピューターであり、負荷の大きい様々な処理を並行して実行することに適した所定のオペレーティングシステム（ＯＳ：Ｏｐｅｒａｔｉｎｇ  Ｓｙｓｔｅｍ）に基づき制御される。Ｗｅｂサーバー１００は、一台であってもよいし複数台であってもよい。
【００２８】
クライアント端末装置２００は、例えば、一般的なパーソナルコンピューターや携帯端末装置等であり、ユーザーにより使用されるアプリケーションを実行することに適した所定のオペレーティングシステムに基づき制御される。クライアント端末装置２００は、一台であってもよいし複数台であってもよい。クライアント端末装置２００は、本実施形態に係る印刷設定装置としての機能を有する。
【００２９】
印刷装置３００は、例えば、種々の印刷設定に従って文書データ等に基づく印刷画像を用紙に印刷する装置であり、Ｗｅｂサーバー１００から送信された印刷ジョブをネットワーク経由で受信して印刷する。このような印刷装置３００は、一台であってもよいし複数台であってもよい。なお、印刷装置３００はクライアント端末装置２００にローカル接続されることもでき、その場合、Ｗｅｂサーバー１００は必ずしも必要ではない。
【００３０】
さらに、図２を参照しながら本実施形態に係る印刷システムの詳細について説明する。本実施形態において、クライアント端末装置２００にはＷｅｂブラウザーが搭載されており、Ｗｅｂサーバー１００にはクライアント端末装置２００のＷｅｂブラウザー上で作動するＷｅｂアプリケーションが搭載されている。そして、クライアント端末装置２００のユーザーはＷｅｂブラウザーを介してＷｅｂサーバー１００のＷｅｂアプリケーションを利用することができる。
【００３１】
図２のように、Ｗｅｂサーバー１００は、データ管理部１１０および印刷ジョブ生成部１２０を有する。ここで、データ管理部１１０は、Ｗｅｂアプリケーションを作動させるための各種プログラム、Ｗｅｂブラウザー上に表示される各種ＵＩの画面情報、および他の装置からアップロードされた印刷用の文書データ等を管理する。データ管理部１１０は、管理対象の画面情報をクライアント端末装置２００にダウンロードさせる。また、データ管理部１１０は、管理対象の文書データを印刷ジョブ生成部１２０およびプレビュー画像生成部２１２に送信する。そして、印刷ジョブ生成部１２０は、ユーザーにより選択された印刷設定に従って文書データの印刷ジョブを生成し、それを印刷装置３００に送信する。
【００３２】
クライアント端末装置２００の画面表示部２１０は、Ｗｅｂサーバー１００からダウンロードした画面情報に基づきプレビュー表示用ＵＩおよび印刷設定用ＵＩを構築し、それらのＵＩをＷｅｂブラウザー上に表示する。
【００３３】
ここで、印刷設定用ＵＩとは、文書データの印刷設定に関するユーザー指示を受け付けるためのＵＩである。すなわち、ユーザーは印刷設定用ＵＩにおいて文書データの印刷設定を選択することができる。印刷設定用ＵＩにおいて選択可能な印刷には、前述の「両面印刷」および「Ｎ−Ｕｐ印刷」の他に、印刷後の用紙の束をステープル留めするための「ステープル」や、印刷後の用紙にパンチ穴を穿つための「パンチ」等が含まれる。
【００３４】
そして、印刷設定用ＵＩは、同一の文書データの印刷設定に関する２通りのユーザー指示を受け付けることができる。すなわち、ユーザーは印刷設定用ＵＩにおいて同一の文書データの第１の印刷設定および第２の印刷設定を選択することができる。印刷設定用ＵＩにおいて受け付けられるユーザー指示のことを以下では「設定指示」と称する。
【００３５】
また、プレビュー表示用ＵＩとは、種々の印刷設定が施された文書データのプレビュー画像を表示するためのＵＩである。すなわち、プレビュー表示用ＵＩには、第１の印刷設定が反映された第１のプレビュー画像および第２の印刷設定が反映された第２のプレビュー画像が並べて表示される。図４は、本実施形態に係るプレビュー表示用ＵＩ４００の一例を示す概略図である。図４のように、プレビュー表示用ＵＩ４００は、第１のプレビュー画像４１４を表示するための第１のプレビュー領域４１０および第２のプレビュー画像４２４を表示するための第２のプレビュー領域４２０を備えている。
【００３６】
また、第１のプレビュー領域４１０には、表示中の第１のプレビュー画像４１４に含まれる物理ページのページ番号を示すページ番号表示ボックス４１１および表示中の第１のプレビュー画像４１４に含まれる物理ページのページ送りのためのページ送りボタン４１２，４１３が設けられている。同様に、第２のプレビュー領域４２０には、表示中の第２のプレビュー画像４２４に含まれる物理ページのページ番号を示すページ番号表示ボックス４２１および表示中の第２のプレビュー画像４１４に含まれる物理ページのページ送りのためのページ送りボタン４２２，４２３が設けられている。
【００３７】
このように、プレビュー表示用ＵＩ４００は、第１のプレビュー領域４１０のページ送りボタン４１２，４１３等により第１のプレビュー画像４１４の表示内容の変更に関するユーザー指示を受け付けることができる。同様に、プレビュー表示用ＵＩ４００は、第２のプレビュー領域４２０のページ送りボタン４２２，４２３等により第２のプレビュー画像４２４の表示内容の変更に関するユーザー指示を受け付けることができる。これらのユーザー指示のことを以下では「操作指示」と称する。
【００３８】
再び図２を参照すると、クライアント端末装置２００の画面表示部２１０は、ファイル選択部２１１、プレビュー画像生成部２１２、プレビュー操作変換部２１３、第１のプレビュー部２１４、および第２のプレビュー部２１５を有する。
【００３９】
ここで、画面表示部２１０のファイル選択部２１１は、Ｗｅｂブラウザー上にファイル選択用ＵＩ（不図示）を表示し、そのＵＩにおいてプレビュー表示用の文書データをユーザーに選択させる。プレビュー表示用の文書データは、Ｗｅｂサーバー１００にアップロードされ、データ管理部１１０により管理されている文書データの中から選択される。
【００４０】
画面表示部２１０のプレビュー画像生成部２１２は、ユーザーにより選択された文書データの第１のプレビュー画像４１４および第２のプレビュー画像４２４を生成する。ここで、プレビュー画像生成部２１２は、印刷設定用ＵＩにおいて選択された第１の印刷設定および第２の印刷設定による文書データの印刷結果をシュミレーションすることにより、第１のプレビュー画像４１４および第２のプレビュー画像４２４を生成する。
【００４１】
より具体的に、プレビュー画像生成部２１２は、両面印刷、Ｎ−Ｕｐ印刷、および製本が選択された場合にプレビュー画像の物理ページに論理ページを割り付ける処理や、ステープルおよびパンチが選択された場合にプレビュー画像の物理ページにステープル針およびパンチ穴の画像をそれぞれ重ね合わせる処理や、モノクロ印刷が選択された場合にカラー画像をモノクロ画像に変換する処理等を実行することにより、文書データの印刷結果をシュミレーションする。
【００４２】
さらに、プレビュー画像生成部２１２は、プレビュー表示用ＵＩ４００において受け付けられた操作指示に従って、第１のプレビュー画像４１４または第２のプレビュー画像４２４の表示内容を変更する。より具体的に、プレビュー画像生成部２１２は、第１のプレビュー画像４１４に対する操作指示に従って、第１のプレビュー画像４１４の物理ページを切り替えたり、第１のプレビュー画像４１４を拡大／縮小したり、第１のプレビュー画像４１４を回転したりする。同様に、プレビュー画像生成部２１２は、第２のプレビュー画像４２４に対する操作指示に従って、第２のプレビュー画像４２４の物理ページを切り替えたり、第２のプレビュー画像４２４を拡大／縮小したり、第２のプレビュー画像４２４を回転したりする。
【００４３】
また、画面表示部２１０のプレビュー操作変換部２１３は、第１のプレビュー画像４１４に対する操作指示を予め定められた規則に従って変換することにより、第２のプレビュー画像４２４に対する操作指示を生成する。プレビュー操作変換部２１３により生成された第２のプレビュー画像に対する操作指示はプレビュー画像生成部２１２に送信される。そして、プレビュー画像生成部２１２は、受信した操作指示に従って第２のプレビュー画像４２４を変更する。
【００４４】
すなわち、プレビュー画像生成部２１２は、プレビュー表示用ＵＩ４００において受け付けられた操作指示に従って第１のプレビュー画像４１４の表示内容を変更するとともに、プレビュー操作変換部２１３により生成された操作指示に従って第２のプレビュー画像４２４の表示内容を変更する。同様に、プレビュー画像生成部２１２は、プレビュー表示用ＵＩ４００において受け付けられた操作指示に従って第２のプレビュー画像４２４の表示内容を変更するとともに、プレビュー操作変換部２１３により生成された操作指示に従って第１のプレビュー画像４１４の表示内容を変更する。
【００４５】
画面表示部２１０の第１のプレビュー部２１４は、プレビュー画像生成部２１２により生成された第１のプレビュー画像４１４をプレビュー表示用ＵＩ４００に表示させるとともに、プレビュー表示用ＵＩ４００に表示中の第１のプレビュー画像４１４に対する操作指示を受け付ける。同様に、画面表示部２１０の第２のプレビュー部２１５は、プレビュー画像生成部２１２により生成された第２のプレビュー画像４２４をプレビュー表示用ＵＩ４００に表示させるとともに、プレビュー表示用ＵＩ４００に表示中の第２のプレビュー画像４２４に対する操作指示を受け付ける。そして、プレビュー表示用ＵＩ４００において印刷実行ボタン４４０が押下されると、Ｗｅｂサーバー１００の印刷ジョブ生成部１２０により第１の印刷設定または第２の印刷設定に基づく文書データの印刷ジョブが生成される。
【００４６】
図２のように、第１のプレビュー部２１４は、プレビュー表示部２１４ｐ、プレビュー操作部２１４ｑ、印刷設定部２１４ｒを有する。ここで、プレビュー表示部２１４ｐは、プレビュー画像生成部２１２により生成された第１のプレビュー画像４１４をプレビュー表示用ＵＩ４００に表示させる。プレビュー操作部２１４ｑは、プレビュー表示用ＵＩ４００において第１のプレビュー画像４１４に対する操作指示を受け付ける。また、印刷設定部２１４ｒは、Ｗｅｂブラウザー上に表示された印刷設定用ＵＩにおいて第１の印刷設定の設定指示を受け付ける。
【００４７】
同様に、第２のプレビュー部２１５は、プレビュー表示部２１５ｐ、プレビュー操作部２１５ｑ、および印刷設定部２１５ｒを有する。プレビュー表示部２１５ｐは、プレビュー画像生成部２１２により生成された第２のプレビュー画像４２４をプレビュー表示用ＵＩ４００に表示させる。プレビュー操作部２１５ｑは、プレビュー表示用ＵＩ４００において第２のプレビュー画像４２４に対する操作指示を受け付ける。印刷設定部２１５ｒは、Ｗｅｂブラウザー上に表示された印刷設定用ＵＩにおいて第２の印刷設定の設定指示を受け付ける。
【００４８】
次に、本実施形態に係るクライアント端末装置２００の動作の概要について説明する。図３は、クライアント端末装置２００がプレビュー表示用ＵＩ４００に第１のプレビュー画像４１４および第２のプレビュー画像４２４を表示させるための処理の手順を示すフローチャートである。このような処理のことを以下では「プレビュー表示制御処理」と称する。なお、図３のフローチャートにより示されるアルゴリズムはクライアント端末装置２００の記憶領域に制御プログラムとして格納されている。
【００４９】
まず、図３に示すように、クライアント端末装置２００のＷｅｂブラウザーがＷｅｂサーバー１００にアクセスし、Ｗｅｂサーバー１００上のＷｅｂアプリを起動させる（ステップＳ１）。これにより、クライアント端末装置２００のＷｅｂブラウザー上に印刷設定用ＵＩおよびプレビュー表示用ＵＩを含む各種ＵＩが表示される。ステップＳ１からステップＳ２に進むと、プレビュー画像生成部２１２が、Ｗｅｂサーバー１００のデータ管理部１１０から前述の画面情報を取得する（ステップＳ２）。
【００５０】
ステップＳ２からステップＳ３に進むと、ファイル選択部２１１が、プレビュー表示用の文書データをユーザーに選択させる（ステップＳ３）。この文書データは、印刷装置３００による印刷用の文書データである。ステップＳ３からステップＳ４に進むと、プレビュー画像生成部２１２が、Ｗｅｂサーバー１００のデータ管理部１１０からユーザーにより選択された文書データを受信する（ステップＳ４）。
【００５１】
ステップＳ４からステップＳ５に進むと、プレビュー画像生成部２１２が、ステップＳ２で取得した画面情報に基づいて、ステップＳ４で受信した文書データの第１のプレビュー画像２１４を生成する（ステップＳ５）。なお、ステップＳ５では、予めユーザーにより特殊な印刷設定が選択されている場合を除き、第１の印刷設定としてデフォルトの印刷設定が採用される。このようにして生成された第１のプレビュー画像４１４は、第１のプレビュー部２１４のプレビュー表示部２１４ｑによりプレビュー表示用ＵＩ４００の第１のプレビュー領域４１０に表示される。
【００５２】
ステップＳ５からステップＳ６に進むと、プレビュー表示用画像形成部２１２が、ステップＳ２で取得した画面情報に基づいて、ステップＳ４で受信した文書データの第２のプレビュー画像４２４を生成する（ステップＳ６）。なお、ステップＳ６では、予めユーザーにより特殊な印刷設定が選択されている場合を除き、第２の印刷設定としてデフォルトの印刷設定が採用される。このようにして生成された第２のプレビュー画像４２４は、第２のプレビュー部２１５のプレビュー表示部２１５ｑによりＵＩ４００の第２のプレビュー領域４２０に表示される。
【００５３】
ステップＳ６からステップＳ７に進むと、印刷設定用ＵＩにおいてユーザーにより第１の印刷設定が選択されたどうかが判定される（ステップＳ７）。そして、第１の印刷設定が選択された場合には（ステップＳ７のＹＥＳ）ステップＳ８に進み、選択されなかった場合には（ステップＳ７のＮＯ）ステップＳ９に進む。
【００５４】
ステップＳ７からステップＳ８に進んだ場合、プレビュー画像生成部２１２が、文書データの第１のプレビュー画像４１４を再度生成する（ステップＳ８）。なお、ステップＳ８では、ユーザーにより選択された第１の印刷設定が反映された第１のプレビュー画像４１４が生成される。このようにして生成された第１のプレビュー画像４１４は、プレビュー画像部２１４ｑによりプレビュー表示用ＵＩ４００の第１のプレビュー領域４１０に表示される。
【００５５】
ステップＳ７からステップＳ９に進んだ場合、印刷設定用ＵＩにおいてユーザーにより第２の印刷設定が選択されたかどうかが判定される（ステップＳ９）。そして、第２の印刷設定が選択された場合には（ステップＳ９のＹＥＳ）ステップＳ１０に進み、選択されなかった場合には（ステップＳ９のＮＯ）ステップＳ１１に進む。
【００５６】
ステップＳ９からステップＳ１０に進んだ場合、プレビュー画像生成部２１２が、文書データの第２のプレビュー画像４２４を再度生成する（ステップＳ１０）。なお、ステップＳ１０では、ユーザーにより選択された第２の印刷設定が反映された第２のプレビュー画像４２４が生成される。このようにして生成された第２のプレビュー画像４２４は、プレビュー画像部２１５ｑによりプレビュー表示用ＵＩ４００の第２のプレビュー領域４２０に表示される。
【００５７】
ステップＳ９からステップＳ１１に進んだ場合、プレビュー表示用ＵＩ４００において第１のプレビュー画像４１４に対する操作指示が受け付けられたかどうかが判定される（ステップＳ１１）。そして、第１のプレビュー画像４１４に対する操作指示が受け付けられた場合には（ステップＳ１１のＹＥＳ）ステップＳ１２に進み、受け付けられなかった場合には（ステップＳ１１のＮＯ）ステップＳ１３に進む。
【００５８】
ステップＳ１１からステップＳ１２に進んだ場合、プレビュー操作変換部２１３が、プレビュー表示用ＵＩ４００において受け付けられた操作指示を、それによる変更後の第１のプレビュー画像４１４の表示内容に応じて第２のプレビュー画像４２４に対する操作指示に変換する（ステップＳ１２）。例えば、プレビュー操作変換部２１３は、プレビュー表示用ＵＩ４００において受け付けられた操作指示による変更後の第１のプレビュー画像４１４に含まれる論理ページが第２のプレビュー画像４２４にも含まれるように、第２のプレビュー画像４２４に対する操作指示を生成する（図４参照）。
【００５９】
ステップＳ１１からステップＳ１３に進んだ場合、プレビュー表示用ＵＩ４００において第２のプレビュー画像４２４に対する操作指示が受け付けられたかどうかが判定される（ステップＳ１３）。そして、第２のプレビュー画像４２４に対する操作指示が受け付けられた場合には（ステップＳ１３のＹＥＳ）ステップＳ１４に進み、受け付けられなかった場合には（ステップＳ１３のＮＯ）ステップＳ７に戻る。
【００６０】
ステップＳ１３からステップＳ１４に進んだ場合、プレビュー操作変換部２１３が、プレビュー表示用ＵＩ４００において受け付けられた操作指示を、それによる変更後の第２のプレビュー画像４２４の表示内容に応じて第１のプレビュー画像４１４に対する操作指示に変換する（ステップＳ１４）。例えば、プレビュー操作変換部２１３は、プレビュー表示用ＵＩ４００において受け付けられた操作指示による変更後の第２のプレビュー画像４２４に含まれる論理ページが第１のプレビュー画像４１４にも含まれるように、第１のプレビュー画像４１４に対する操作指示を生成する（図４参照）。
【００６１】
ステップＳ１２またはＳ１４からステップＳ１５に進むと、プレビュー画像生成部２１２が、プレビュー表示用ＵＩ４００において受け付けられた操作指示（ステップＳ１１参照）またはプレビュー操作変換部２１３により生成された操作指示（ステップＳ１４参照）に従って、第１の表示領域４１０に表示されている第１のプレビュー画像４１４を変更する（ステップＳ１５）。例えば、プレビュー画像生成部２１２は、第１のプレビュー画像４１４に対するページ送りの操作指示に従って、第１のプレビュー画像４１４に含まれる物理ページを切り替える（図４参照）。
【００６２】
ステップＳ１５からステップＳ１６に進むと、プレビュー画像生成部２１２が、プレビュー表示用ＵＩ４００において受け付けられた操作指示（ステップＳ１３参照）またはプレビュー操作変換部２１３により生成された操作指示（ステップＳ１２参照）に従って、第２の表示領域４２０に表示されている第２のプレビュー画像４２４を変更する（ステップＳ１６）。例えば、プレビュー画像生成部２１２は、第２のプレビュー画像４２４に対するページ送りの操作指示に従って、第２のプレビュー画像４２４に含まれる物理ページを切り替える（図４参照）。なお、ステップＳ１５とステップＳ１６は同時に実行されることが好ましい。
【００６３】
ステップＳ１６からステップＳ１７に進むと、プレビュー画像生成部２１２が、第１のプレビュー画像４１４および第２のプレビュー画像４２４の双方に共通する論理ページが他の論理ページから区別されるように、第１のプレビュー画像をさらに変更する（ステップＳ１７）。例えば、プレビュー画像生成部２１２は、両プレビュー画像に共通する論理ページを区別するためのマーカーを第１のプレビュー画像４１４に合成する（図４参照）。
【００６４】
ステップＳ１７からステップＳ１８に進んだ場合、プレビュー画像生成部２１２が、第１のプレビュー画像４１４および第２のプレビュー画像４２４の双方に共通する論理ページが他の論理ページから区別されるように、第２のプレビュー画像をさらに変更する（ステップＳ１８）。例えば、プレビュー画像生成部２１２は、両プレビュー画像に共通する論理ページを区別するためのマーカーを第２のプレビュー画像４２４に合成する（図４参照）。
【００６５】
次に、本実施形態に係るプレビュー表示制御処理により表示されたプレビュー画像の具体例について、図４〜図１１を参照しながら説明する。
【００６６】
図４は、プレビュー表示用ＵＩ４００に表示された第１のプレビュー画像４１４および第２のプレビュー画像４２４の組み合わせの一例を示す概略図である。本例では、第１の印刷設定としてデフォルトの印刷設定が選択されており、第２の印刷設定として４−Ｕｐ印刷およびステープルが選択されているものとする。
【００６７】
ここで、図４（Ａ）は、図中左側に表示された第１のプレビュー画像４１４に対する操作指示が受け付けられる前の状態を示しており、図４（Ｂ）は、第１のプレビュー画像４１４に対する操作指示が受け付けられた後の状態を示している。なお、本例による操作指示は第１のプレビュー画像４１４に含まれる物理ページを１つ進めるべきとの操作指示である。
【００６８】
図４（Ｂ）のように、第１のプレビュー画像４１４に対する操作指示が受け付けられると、第１のプレビュー画像４１４が変更されるとともに、変更後の第１のプレビュー画像４１４に応じて第２のプレビュー画像４２４が変更される。より具体的に、第１のプレビュー画像４１４の物理ページが１つ進められると、第１のプレビュー画像４１４の新たな物理ページに含まれる論理ページが第２のプレビュー画像４２４の論理ページにも含まれるように、第２のプレビュー画像４２４の物理ページが１つ進められる（図４（Ｂ）中の「０９」参照）。本例では、第１のプレビュー画像４１４の新たな物理ページに含まれる論理ページは１つだけなので、その論理ページが第２のプレビュー画像４２４の物理ページにも含まれるように、第２のプレビュー画像４２４の物理ページが１ページだけ進められる。
【００６９】
すなわち、本例では、第１のプレビュー画像４１４の物理ページを１つ進めるべきとの操作指示が、第２のプレビュー画像４２４の物理ページを１つ進めるべきとの操作指示に変換されている。これにより、第１のプレビュー画像４１４および第２のプレビュー画像４２４の双方に同一の論理ページが含まれることになるので（図４（Ｂ）中の「０９」参照）、ユーザーはそれぞれのプレビュー画像に含まれる論理ページの対応関係を直感的に理解することができる。また、図４（Ｂ）のように、変更後の両プレビュー画像に共通して含まれる論理ページはフレーム状のマーカーにより他の論理ページと区別して表示されることが好ましい。
【００７０】
ここで、本例では、プレビュー表示用ＵＩ４００において第１のプレビュー画像４１４に対する操作指示が受け付けられているが、第２のプレビュー画像４２４に対する操作指示が受け付けられる場合もある。この場合、プレビュー操作変換部２１３は、第２のプレビュー画像４２４に対する操作指示を第１のプレビュー画像４１４に対する操作指示に変換する。この点は図５〜１１においても同様である。
【００７１】
図５は、プレビュー表示用ＵＩ４００に表示された第１のプレビュー画像４１４および第２のプレビュー画像４２４の組み合わせの他の例を示す概略図である。本例では、第１の印刷設定として両面印刷および製本（平綴じ）が選択されており、第２の印刷設定として４−Ｕｐ印刷およびステープルが選択されているものとする。
【００７２】
ここで、図５（Ａ）は、図中左側に表示された第１のプレビュー画像４１４に対する操作指示が受け付けられる前の状態を示しており、図５（Ｂ）は、第１のプレビュー画像４１４に対する操作指示が受け付けられた後の状態を示している。なお、本例による操作指示は、図４の例と同様に、第１のプレビュー画像４１４に含まれる物理ページを１つ進めるべきとの操作指示である。
【００７３】
図５（Ｂ）のように、第１のプレビュー画像４１４に対する操作指示が受け付けられると、第１のプレビュー画像４１４が変更されるとともに、変更後の第１のプレビュー画像４１４に応じて第２のプレビュー画像４２４が変更される。より具合的に、第１のプレビュー画像４１４の物理ページが１つ進められると、第１のプレビュー画像４１４の新たな物理ページに含まれる論理ページが第２のプレビュー画像４２４の物理ページにも含まれるように、第２のプレビュー画像４２４の物理ページが１つ進められる。本例では、第１のプレビュー画像４１４の新たな物理ページに含まれる２つの論理ページのうち、ページ番号が最も小さい論理ページが第２のプレビュー画像４２４にも含まれるように、第２のプレビュー画像４２４の物理ページが１つだけ進められる。
【００７４】
すなわち、本例では、第１のプレビュー画像４１４の物理ページを１つ進めるべきとの操作指示が、第２のプレビュー画像４２４の物理ページを１つ進めるべきとの操作指示に変換されている。これにより、第１のプレビュー画像４１４および第２のプレビュー画像４２４の双方に同一の論理ページが含まれることになるので（図５（Ｂ）中の「１４」参照）、ユーザーはそれぞれのプレビュー画像に含まれる論理ページの対応関係を直感的に理解することができる。
【００７５】
図６は、プレビュー表示用ＵＩ４００に表示された第１のプレビュー画像４１４および第２のプレビュー画像４２４の組み合わせの他の例を示す概略図である。本例では、第１の印刷設定として２０番目の論理ページの直後に白紙を挿入すべきとの印刷設定が選択されており、第２の印刷設定として４−Ｕｐ印刷およびステープルが選択されているものとする。
【００７６】
ここで、図６（Ａ）は、図中左側に表示された第１のプレビュー画像４１４に対する操作指示が受け付けられる前の状態を示しており、図６（Ｂ）は、第１のプレビュー画像４１４に対する操作指示が受け付けられた後の状態を示している。なお、本例による操作指示は、図４および図５の例と同様に、第１のプレビュー画像４１４の物理ページを１つ進めるべきとの操作指示である。
【００７７】
図６（Ｂ）のように、第１のプレビュー画像４１４に対する操作指示が受け付けられると、第１のプレビュー画像４１４が変更されるが、図４および図５の例とは異なり、第２のプレビュー画像４２４が変更されることはない。本例のように、第１のプレビュー画像４１４の新たな物理ページに論理ページが１つも含まれていない場合は、第２のプレビュー画像４２４が変更されることはない。
【００７８】
ただし、第１のプレビュー画像４１４の新たな物理ページに論理ページが１つも含まれていない場合は、新たな物理ページに隣接する物理ページに含まれる論理ページが第２のプレビュー画像４２４の物理ページにも含まれるように、第２のプレビュー画像４２４が変更されることとしてもよい。また、第１のプレビュー画像４１４の新たな物理ページに含まれる論理ページが既に第２のプレビュー画像４２４の論理ページに含まれているような場合も、図６の例と同様に、第２のプレビュー画像４２４が変更されることはない。
【００７９】
図７は、プレビュー表示ウィンドウ４００に表示された第１のプレビュー画像４１４および第２のプレビュー画像４２４の組み合わせの他の例を示す概略図である。本例では、第１の印刷設定として両面印刷、章分け（章分け位置：１３番目の論理ページと１４番目の論理ページとの間）および製本（中綴じ）が選択されており、第２の印刷設定として４−Ｕｐ印刷およびステープルが選択されているものとする。なお、文書データの章分けが選択されている場合は、章分け位置の前後の論理ページの間に白紙が挿入されるものとする。
【００８０】
ここで、図７（Ａ）は、図中左側に表示された第１のプレビュー画像４１４に対する操作指示が受け付けられる前の状態を示しており、図７（Ｂ）は、第１のプレビュー画像４１４に対する操作指示が受け付けられた後の状態を示している。なお、本例による操作指示は、図４〜図６の例と同様に、第１のプレビュー画像４１４の物理ページを１つ進めるべきとの操作指示であるものとする。
【００８１】
図７（Ｂ）のように、第１のプレビュー画像４１４に対する操作指示が受け付けられると、第１のプレビュー画像４１４が変更されるとともに、変更後の第１のプレビュー画像４１４に応じて第２のプレビュー画像４２４が変更される。より具合的に、第１のプレビュー画像４１４の物理ページが１つ進められると、第１のプレビュー画像４１４の新たな物理ページに含まれる論理ページが第２のプレビュー画像４２４の物理ページにも含まれるように、第２のプレビュー画像４２４の物理ページが１つ進められる。本例では、第１のプレビュー画像４１４の新たな物理ページに含まれる論理ページは１つだけなので（図７（Ｂ）中の「１４」参照）、その論理ページが第２のプレビュー画像４２４の物理ページにも含まれるように、第２のプレビュー画像４２４の物理ページが１ページだけ進められる。
【００８２】
すなわち、本例では、第１のプレビュー画像４１４の物理ページを１つ進めるべきとの操作指示が、第２のプレビュー画像４２４の物理ページを１つ進めるべきとの操作指示に変換されている。これにより、第１のプレビュー画像４１４および第２のプレビュー画像の双方に同一の論理ページが含まれることになるので（図７（Ｂ）中の「１４」参照）、ユーザーはそれぞれのプレビュー画像に含まれる論理ページの対応関係を直感的に理解することができる。
【００８３】
図８は、プレビュー表示用ＵＩ４００に表示された第１のプレビュー画像４１４および第２のプレビュー画像４２４の組み合わせの他の例を示す概略図である。本例では、第１の印刷設定として両面印刷および製本（平綴じ）が選択されており、第２の印刷設定として４−Ｕｐ印刷が選択されている。また、本例によるプレビュー表示用ＵＩ４００は、インタラクティブなアニメーション機能を備えており、第１のプレビュー画像４１４または第２のプレビュー画像４２４に対する操作指示に従って両プレビュー画像を動的に変更することができる。
【００８４】
ここで、図８は、図中左側に表示された第１のプレビュー画像４１４に対する操作指示に従って両プレビュー画像が動的に変更される様子を示している。本例による操作指示は、第１のプレビュー画像４１４の物理ページを１つ進めるべきとの操作指示であり、そのような操作指示はユーザーが第１のプレビュー画像４１４の物理ページをマウスでドラッグしたときに受け付けられる。
【００８５】
図８のように第１のプレビュー画像４１４に対する操作指示が受け付けられると、第１のプレビュー画像４１４が変更されるとともに、変更後の第１のプレビュー画像４１４に応じて第２のプレビュー画像４２４が変更される。より具合的に、第１のプレビュー画像４１４の物理ページが横方向にドラッグされると、マウスポインタ４３０の位置に連動して第１のプレビュー画像４１４の物理ページが少しずつめくられる。そして、第１のプレビュー画像４１４の新たな物理ページに含まれる論理ページが第２のプレビュー画像４２４にも含まれるように、第２のプレビュー画像４２４の物理ページが少しずつスライドされる。
【００８６】
図９は、プレビュー表示用ＵＩ４００に表示された第１のプレビュー画像４１４および第２のプレビュー画像４２４の組み合わせの他の例を示す概略図である。本例では、第１の印刷設定として両面印刷および製本（平綴じ）が選択されており、第２の印刷設定として４−Ｕｐ印刷およびステープルが選択されている。また、本例によるプレビュー表示用ＵＩ４００は、図８の例と同様に、インタラクティブなアニメーション機能を備えている。
【００８７】
ここで、図９は、図中左側に表示された第１のプレビュー画像４１４に対する操作指示に従って両プレビュー画像が動的に変更される様子を示している。本例による操作指示は、図８の例と同様に、第１のプレビュー画像４１４の物理ページを１つ進めるべきとの操作指示であり、そのような操作指示はユーザーが第１のプレビュー画像４１４の物理ページをマウスでドラッグしたときに受け付けられる。
【００８８】
図９のように、第１のプレビュー画像４１４に対する操作指示が受け付けられると、第１のプレビュー画像４１４が変更されるとともに、変更後の第１のプレビュー画像４１４に応じて第２のプレビュー画像４２４が変更される。より具合的に、第１のプレビュー画像４１４の物理ページが横方向にドラッグされると、マウスポインタ４３０の位置に連動して第１のプレビュー画像４１４の物理ページが少しずつめくられる。そして、第１のプレビュー画像４１４の新たな物理ページに含まれる論理ページが第２のプレビュー画像４２４にも含まれるように、第２のプレビュー画像４２４の物理ページが少しずつめくられる。
【００８９】
図８および図９のように、両プレビュー画像４２４がアニメーション機能により動的に変更される場合は、それぞれの印刷設定に応じた最適な変更方法が採用されることが好ましい。すなわち、ステープルが施されていない印刷物のページ送りは物理ページをスライドさせることによって行われるので、第２の印刷設定としてステープルが選択されていない場合は、図８のような変更方法が採用されることが好ましい。他方、ステープルが施された印刷物のページ送りは物理ページをめくることによって行われるので、第２の印刷設定としてステープルが選択されている場合は、図９のような変更方法が採用されることが好ましい。このように第２の印刷設定に応じた最適な変更方法を採用することにより、ユーザーは第２の印刷設定による印刷物の仕上がりをより正確に予想することができる。
【００９０】
図１０は、プレビュー表示ウィンドウ４００に表示された第１のプレビュー画像４１４および第２のプレビュー画像４２４の組み合わせの他の例を示す概略図である。本例では、第１の印刷設定としてデフォルトの印刷設定が選択されており、第２の印刷設定として４−Ｕｐ印刷およびステープルが選択されているものとする。
【００９１】
ここで、図１０（Ａ）は、図中左側に表示された第１のプレビュー画像４１４に対する操作指示が受け付けられる前の状態を示しており、図１０（Ｂ）は、第１のプレビュー画像４１４に対する操作指示が受け付けられた後の状態を示している。なお、本例による操作指示は、第１のプレビュー画像４１４の左上隅を拡大すべきとの操作指示であり、そのような操作指示はユーザーが第１のプレビュー画像４１４をマウスでクリックしたときに受け付けられる。
【００９２】
図１０（Ｂ）のように、第１のプレビュー画像４１４に対する操作指示が受け付けられると、第１のプレビュー画像４１４が変更されるとともに、変更後の第１のプレビュー画像４１４に応じて第２のプレビュー画像４２４が変更される。より具合的に、第１のプレビュー画像４１４の左上隅が拡大されると、第２のプレビュー画像４２４の左上隅も同様の倍率で拡大される。
【００９３】
すなわち、本例では、第１のプレビュー画像４１４の左上隅を拡大すべきとの操作指示が、第２のプレビュー画像４２４の左上隅を拡大すべきとの操作指示に変換されている。これにより、ユーザーは第１の印刷設定および第２の印刷設定がそれぞれ反映された印刷物における特定の箇所（例えば、物理ページの左上隅）の仕上がりをより正確に予想することができる。
【００９４】
図１１は、プレビュー表示用ＵＩ４００に表示された第１のプレビュー画像４１４および第２のプレビュー画像４２４の組み合わせの他の例を示す概略図である。本例では、第１の印刷設定としてデフォルトの印刷設定が選択されており、第２の印刷設定として４−Ｕｐ印刷およびステープルが選択されているものとする。
【００９５】
ここで、図１１（Ａ）は、図中左側に表示された第１のプレビュー画像４１４に対する操作指示が受け付けられる前の状態を示しており、図１１（Ｂ）は、第１のプレビュー画像４１４に対する操作指示が受け付けられた後の状態を示している。なお、本例による操作指示は、図１０の例と同様に、第１のプレビュー画像４１４の左上隅を拡大すべきとの操作指示であり、そのような操作指示はユーザーが第１のプレビュー画像４１４をマウスでクリックしたときに受け付けられる。
【００９６】
図１１（Ｂ）のように、第１のプレビュー画像４１４に対する操作指示が受け付けられると、第１のプレビュー画像４１４が変更されるとともに、変更後の第１のプレビュー画像４１４に応じて第２のプレビュー画像４２４が変更される。より具合的に、第１のプレビュー画像４１４の左上隅が拡大されると、拡大後の第１のプレビュー画像４１４の物理ページに含まれる論理ページを中心に、第２のプレビュー画像４２４が拡大される（図１１（Ｂ）中の「０８」参照）。
【００９７】
すなわち、本例では、第１のプレビュー画像４１４の左上隅を拡大すべきとの操作指示が、第２のプレビュー画像４１４を「０８」番目の論理ページを中心に拡大すべきとの操作指示に変換されている。これにより、ユーザーは第１の印刷設定および第２の印刷設定がそれぞれ反映された印刷物における特定の論理ページ（例えば、８番目の論理ページ）の仕上がりをより正確に予想することができる。
【００９８】
以上のように、本実施形態に係るクライアント端末装置２００は、プレビュー表示用ＵＩ４００において第１のプレビュー画像４１４に対する操作指示（ページ送り、拡大／縮小、回転等）を受け付けたときに、その操作指示に従って第１のプレビュー画像４１４を変更するとともに、変更後の第１のプレビュー画像４１４に応じて第２のプレビュー画像４２４を変更する。よって、本実施形態に係るクライアント端末装置２００によると、ユーザーはそれぞれのプレビュー画像に含まれる論理ページの対応関係を直感的に理解できるようになり、印刷物の仕上がりを正確に予想できるようになる。
【００９９】
本発明は、上述した本実施形態のみに限定されるものではなく、特許請求の範囲内において、種々改変することができる。例えば、上記実施形態では印刷設定装置としてクライアント端末装置２００を例示したが、本発明に係る印刷設定装置は、印刷装置のオプション機能として印刷装置に搭載されていてもよい。また本発明に係る印刷装置は、スキャン機能、プリント機能、コピー機能等を備えた多機能周辺機器（ＭＦＰ：Ｍｕｌｔｉ−Ｆｕｎｃｔｉｏｎ  Ｐｅｒｉｐｈｅｒａｌ）であってもよい。また、上記実施形態では、２通りの印刷設定による２つのプレビュー画像を表示することとしたが、本発明に係る印刷設定装置は、３通り以上の印刷設定による３つ以上のプレビュー画像を表示することもできる。
【０１００】
本実施形態に係る印刷設定装置において各種処理を実行する手段および方法は、専用のハードウェア回路により実現されてもよいし、プログラムされたコンピューターにより実現されてもよい。このようなプログラムは、例えば、フレキシブルディスクおよびＣＤ−ＲＯＭ等のコンピューター読み取り可能な記録媒体によって提供されてもよいし、インターネット等のネットワークを介してオンラインで提供されてもよい。コンピューター読み取り可能な記録媒体によって提供されたプログラムは、通常、ハードディスク等の記憶装置に転送され、そこに保存される。また、このようなプログラムは、単独のアプリケーションソフトとして提供されてもよいし、印刷設定装置の一機能としてソフトウェアに組み込まれてもよい。
【符号の説明】
【０１０１】
１００  サーバー、
１１０  データ管理部、
１２０  印刷ジョブ生成部、
２００  クライアント端末装置（印刷設定装置）、
２１０  画面表示部、
２１１  ファイル選択部、
２１２  プレビュー画像生成部、
２１３  プレビュー操作変換部、
２１４  第１のプレビュー部、
２１４ｐ  プレビュー表示部、
２１４ｑ  プレビュー操作部、
２１４ｒ  印刷設定部、
２１５  第２のプレビュー部、
２１５ｐ  プレビュー表示部、
２１５ｑ  プレビュー操作部、
２１５ｒ  印刷設定部、
３００  印刷装置、
４００  プレビュー表示用ＵＩ、
４１０  第１のプレビュー領域、
４２０  第２のプレビュー領域、
４１１  ページ番号表示ボックス、
４１２  ページ送りボタン、
４１３  ページ送りボタン、
４１４  第１のプレビュー画像、
４１５  第２のプレビュー画像、
４３０  マウスポインタ、
４４０  印刷実行ボタン。
【図１】
0005652433.tif 000002
【図２】
0005652433.tif 000003
【図３】
0005652433.tif 000004
【図４】
0005652433.tif 000005
【図５】
0005652433.tif 000006
【図６】
0005652433.tif 000007
【図７】
0005652433.tif 000008
【図８】
0005652433.tif 000009
【図９】
0005652433.tif 000010
【図１０】
0005652433.tif 000011
【図１１】
0005652433.tif 000012